(57)【要約】【課題】  ＳＵＶ車や高級外車などの大型車を含む全ての車両１を雨風埃、いたずらや盗難から守り、また車両を鑑賞できるおしゃれな空間が欲しい車愛好家のニーズに応えるため、このガレージマンションを提供する。これまでのガレージとは異なりマンションタイプの複数階のガレージにすることにより土地を有効に活用でき、個人が高級ガレージを手に入れやすくなる。【解決手段】  土地を有効に活用出来るよう複数階の建物にし、大型車対応のエレベーター２で専用のガレージルーム３へ車両を運ぶ。  室内でもエンジンを回せるよう換気ダクト５、強制ファン６を設置。  回転テーブル式１３による駐車位置の自由化。  室内には生活できるスペース７を設けオシャレに演出。  分譲または賃貸のガレージハウス物件として土地を有効に利用。【選択図】図２
2009024472.tif 000002
【特許請求の範囲】
【請求項１】
戸建ガレージと異なり、マンションタイプの高級ガレージとしての物件
【請求項２】
室内でエンジンを回せるよう各部屋に換気ダクト、ファンを設置
【請求項３】
ガレージ一体型室内に居住または寛げるスペース
【請求項４】
室内に車両またはバイクの駐車位置を自由に出来る回転テーブルを導入
【請求項５】
ＳＵＶや大型高級車にも対応できる大型ガレージ
【発明の詳細な説明】
【技術分野】
【０００１】本発明は、車両またはバイクを自然災害やいたずら、盗難から守り、所有者が車両を鑑賞しながら寛げる空間を分譲または賃貸として提供する物件である。これまでのガレージとは異なり複数階のマンションタイプのガレージにすることにより、住居には狭い土地区画も有効に使える。  また、これまでの立体もしくは平面駐車場に入らなかったＳＵＶ車を含む全ての大型車両を大事に保管できることから、個人では実現が困難は高級ガレージを一般の人も所有することができるようになり、車愛好家のニーズに応えることが出来る。
【技術背景】
【０００２】従来は車を保管するだけの立体および平面駐車場、もしくは鑑賞ガレージを所有できる限られた人のみの空間はあったが、一般の人が大型高級車や愛車を大切に保管でき鑑賞できるスペースは無かった。
【０００３】従来のマンションの立体駐車場にはＳＵＶ車や高級外車等の大型車を受け入れるスペースが極めて少なかったため、それらの車両の購入を諦める人も多くいた。
【発明の開示】
【発明が解決しようとする課題】
【０００４】車両やバイクを天災やいたずら、盗難から守り大切に保管し観賞できる場所が欲しい一般人がこれまでにそのようなスペースが無いために車両を購入する機会を失うことがあった。本発明はこの課題を解消するためになされたものである。【０００５】本発明は従来のマンションタイプの立体駐車場に入りきれないＳＵＶ車や高級外車を所有している人、またはこれから購入を検討している人が安心して使えるガレージを提供できるようにしたものである。
【課題を解決するための手段】
【０００６】これまでの概念を破り、複数階の高級マンションタイプのガレージにすることにより個人が高級ガレージを所有し易くした。車両を上層階へ上げるためいたずらや盗難防止にもなり、室内で保管出来るため雨風埃から車両を守ることが可能となったため下取りの際のメリットも大きい。  ＳＵＶ車や大型車両を含む全ての車両１を専用エレベーター２で上階に上げ、所有者ごとに専用の部屋３を設け、近年デパートなどの立体駐車場などに見られる車両を滑らせる技術４を導入し各部屋へ出し入れし易いようにした。また各部屋には換気ダクト５、強制ファン６を設置、室内でエンジンを回すことも可能。キッチン、バス、トイレ７も設け、車両の所有者が寛げるおしゃれなスペースも用意。車愛好家にとってセカンドハウスの要素も盛り込む。また１階部分には洗車スペース８も設置。  車に重点を置いた設計となっているため、比較的居住用よりは狭い土地でも有効に活用できると思われる。【０００７】ＳＵＶ車や高級外車等の大型車も出し入れし易いよう、車両専用エレベーター２の幅を広く設定。  所有者は車両エレベーターとは別に専用エレベーター９または非常階段１０を設置し各部屋へ直接行けるように設計。【０００８】火災など万が一の安全のため、各部屋にはスプリンクラー１１を設置。【０００９】車両専用のエレベーターと部屋との間にはナンバー式などによるセキュリティーシステム１２を取り入れた大型ドアを設置し盗難防止に役立てる。
【発明の効果】
【０００９】このガレージマンションがあれば、主体となる住居をリフォームすることなく誰でも高級ガレージを手に入れることが出来るため、車両を購入する際の後押しとなる。またマンション住まいの人でもＳＵＶ車や大型車を購入する際に駐車場を気にする必要が無くなる。  上階に車両を持ち込むためいたずらや盗難防止にもなり、雨風埃から守ることが出来る。車愛好家は車両鑑賞を好む傾向にあるが実際そのようなガレージスペースを持つことは個人では費用もかかるため実現しにくい。しかしこのガレージマンションがあれば車愛好家からのニーズに応えることが出来る。  また傷等入りにくいため下取りの際のメリットも大きい。【００１０】住宅部門でも居住用マンションに比べ狭い土地区画を有効に利用することができ、専用ガレージマンションが出来ることにより駐車スペースを考慮した住宅設計を取る必要性も薄れてくる。
団塊の世代はこれからこのようなセカンドハウスを持ちたいと考えている車愛好家の人も多いだろう。また景気回復と言われる中、高級車の購入を検討している人も増えていると思われる。まさに社会のニーズに合ったアイデアだと思われる。
【発明を実施するための最良の形態】
【００１１】本発明は３階以上の中層物件で、１階に大型車両を含む全ての車両１を対象とした専用エレベーター２。車両オーナーは専用エレベーター９または非常階段１０で各階へ。近年デパートなどで使われている車両を滑らせる技術４を導入し、各部屋へ車両を運ぶ。車両エレベーターと各部屋との間には広い自動ドアタイプの仕切り１４を設置し安全性を図る。開閉の際はナンバーキーなどのセキュリティーシステム１２を導入し盗難防止を図る。  １階部分にはガレージマンションオーナー専用の洗車スペース８。  各部屋には専用のバストイレ、キッチン７を設け居住空間もオシャレに演出。  室内でエンジン音を聞いたり出来るように各部屋に換気ダクト５、強制ファン６を設置。  多角度から点検できるように車両を回転できる回転テーブル１３を導入。  各部屋にスプリンクラー１１を設置し万が一の事態に備える。  車両の大きさに応じて複数の間取りを用意することにより、多方面のニーズに応えることが出来るようにする。【００１２】土地に十分なスペースがある場合は図３のように各階複数の部屋を作り利便性を図る。【００１３】場所によっては別の車でガレージマンションまで行く必要があるので、環境に応じてセカンドカーの駐車スペースがあればなお良。  また広いスペースを確保出来る場合、各オーナーの憩いの場を設け愛車を披露し合うことも可能。
【図面の簡単な説明】
【００１４】
【図１】本発明の建物の断面図の考案図である。
【図２】本発明の部屋の内部の考案図である。
【図３】本発明の建物を応用した考案図である。
【符号の説明】
【００１５】  １  車両本体
２  大型車含む全ての車両に使える専用エレベーター
３  所有者専用のガレージルーム
４  車両を滑らせて移動させる技術
５  室内用換気ダクト
６  強制ファン
７  キッチン、バス、トイレ
８  オーナー専用洗車スペース
９  オーナー専用エレベーター
１０  非常階段
１１  スプリンクラー
１２  セキュリティーシステム
１３  回転テーブル
１４  自動ドアタイプの仕切り
【図１】
2009024472.tif 000003
【図２】
2009024472.tif 000004
【図３】
2009024472.tif 000005